(57)【特許請求の範囲】
【請求項１】
構成情報を複製するための装置であって、
前記装置を少なくとも第1のデバイスにおいて複製されるように構成するのに使用される前記構成情報を求める要求を受け取るように構成される受信機であって、前記要求が、前記装置が前記第1のデバイスの物理的に近くに配置されている場合に受け取られ、物理的に近くに配置されることが、前記装置および前記第1のデバイスの一方における近距離無線または近接センサが前記装置および前記第1のデバイスの他方の存在を検出できることを意味する受信機と、
前記装置を前記構成情報に基づいて動作させるように構成される処理システムであって、第2のデバイスが前記動作を制御するように構成された処理システムと、
前記受信機によって受け取られた前記要求に応答して前記構成情報を前記第1のデバイスに伝達するように構成された送信機と
を備え、前記構成情報は前記装置によって施された治療の進度に基づいて調整される、装置。
【請求項２】
前記処理システムは、前記構成情報が伝達された後で前記装置の前記動作を停止させるように構成される、請求項1に記載の装置。
【請求項３】
前記動作を開始すること、前記動作を停止すること、前記動作の進行を監視すること、または前記動作に基づいてアラームを管理することの少なくとも1つが前記第2のデバイスによって制御される、請求項1に記載の装置。
【請求項４】
前記送信機は、前記構成情報を前記第2のデバイスを介して第1のデバイスに転送することによって通信するように構成される、請求項1に記載の装置。
【請求項５】
前記処理システムは、前記第1のデバイスと通信する前に前記構成情報を調整するようにさらに構成される、請求項1に記載の装置。
【請求項６】
前記構成情報は、前記装置の前記動作の進行に基づいて調整される、請求項5に記載の装置。
【請求項７】
前記構成情報は、
前記装置を制御するためのパラメータ、
前記装置の動作の現在のステータス、または
前記装置において記録されたデータ
のうちの少なくとも1つを含む、請求項1に記載の装置。
【請求項８】
前記構成情報をローカルに前記装置に記憶するように構成されたメモリをさらに備え、前記処理システムは、前記要求に応答して前記構成情報を前記メモリから取り込むようにさらに構成される、請求項1に記載の装置。
【請求項９】
前記第1のデバイスは輸液ポンプである、請求項1に記載の装置。
【請求項１０】
装置において構成情報を複製するための方法であって、
前記装置を少なくとも第1のデバイスにおいて複製されるように構成するのに使用される前記構成情報を求める要求を受け取るステップであって、前記要求が、前記装置が前記第1のデバイスの物理的に近くに配置されている場合に受け取られ、物理的に近くに配置されることが、前記装置および前記第1のデバイスの一方における近距離無線または近接センサが前記装置および前記第1のデバイスの他方の存在を検出できることを意味するステップと、
前記装置を前記構成情報に基づいて動作させるステップであって、前記動作が第2のデバイスによって制御されるステップと、
前記要求に応答して前記構成情報を前記第1のデバイスに伝達するステップと
を含み、前記構成情報は前記装置によって施された治療の進度に基づいて調整される、方法。
【請求項１１】
前記構成情報が伝達された後で前記装置の前記動作を停止させるステップをさらに含む、請求項10に記載の方法。
【請求項１２】
前記動作を開始すること、前記動作を停止すること、前記動作の進行を監視すること、または前記動作に基づいてアラームを管理することの少なくとも1つが前記第2のデバイスによって制御される、請求項10に記載の方法。
【請求項１３】
前記伝達するステップは、前記構成情報を前記第2のデバイスを介して前記第1のデバイスに転送するステップを含む、請求項10に記載の方法。
【請求項１４】
前記第1のデバイスと通信する前に前記構成情報を調整するステップをさらに含む、請求項10に記載の方法。
【請求項１５】
前記構成情報は、前記装置の前記動作の進行に基づいて調整される、請求項14に記載の方法。
【請求項１６】
前記構成情報は、
前記装置を制御するためのパラメータ、
前記装置の動作の現在のステータス、または
前記装置において記録されたデータ
のうちの少なくとも1つを含む、請求項10に記載の方法。
【請求項１７】
前記構成情報を前記装置におけるメモリに記憶するステップと、
前記要求に応答して前記構成情報を前記メモリから取り込むステップと
をさらに含む、請求項10に記載の方法。
【請求項１８】
前記第1のデバイスは輸液ポンプである、請求項10に記載の方法。
【請求項１９】
構成情報を複製するための装置において、
前記装置を少なくとも第1のデバイスにおいて複製されるように構成するのに使用される前記構成情報を求める要求を受け取るための手段であって、前記要求が、前記装置が前記第1のデバイスの物理的に近くに配置されている場合に受け取られ、物理的に近くに配置されることが、前記装置および前記第1のデバイスの一方における近距離無線または近接センサが前記装置および前記第1のデバイスの他方の存在を検出できることを意味する手段と、
前記装置を前記構成情報に基づいて動作させるための手段であって、第2のデバイスが前記動作を制御するように構成された手段と、
前記受け取るための手段によって受け取られた前記要求に応答して前記構成情報を前記第1のデバイスに伝達するための手段と
を備え、前記構成情報は前記装置によって施された治療の進度に基づいて調整される、装置。
【請求項２０】
前記動作させるための手段は、前記構成情報が伝達された後で前記装置の前記動作を停止させるように構成される、請求項19に記載の装置。
【請求項２１】
前記動作を開始すること、前記動作を停止すること、前記動作の進行を監視すること、または前記動作に基づいてアラームを管理することの少なくとも1つが前記第2のデバイスによって制御される、請求項19に記載の装置。
【請求項２２】
前記伝達するための手段は、前記構成情報を前記第2のデバイスを介して第1のデバイスに転送するように構成される、請求項19に記載の装置。
【請求項２３】
前記第1のデバイスと通信する前に前記構成情報を調整するための手段をさらに備える、請求項19に記載の装置。
【請求項２４】
前記構成情報は、前記装置の前記動作の進行に基づいて調整される、請求項23に記載の装置。
【請求項２５】
前記構成情報は、
前記装置を制御するためのパラメータ、
前記装置の動作の現在のステータス、または
前記装置において記録されたデータ
のうちの少なくとも1つを含む、請求項19に記載の装置。
【請求項２６】
前記構成情報をローカルに前記装置に記憶するための手段と、
前記要求に応答して前記構成情報を前記記憶するための手段から取り込むための手段と
をさらに備える、請求項19に記載の装置。
【請求項２７】
前記第1のデバイスは輸液ポンプである、請求項19に記載の装置。
【請求項２８】
装置において構成情報を複製するためのコンピュータプログラムであって、
前記装置を少なくとも第1のデバイスにおいて複製されるように構成するのに使用される前記構成情報を求める要求を受け取り、ただし前記要求が、前記装置が前記第1のデバイスの物理的に近くに配置されている場合に受け取られ、物理的に近くに配置されることが、前記装置および前記第1のデバイスの一方における近距離無線または近接センサが前記装置および前記第1のデバイスの他方の存在を検出できることを意味し、
前記装置を前記構成情報に基づいて動作させ、ただし第2のデバイスが前記動作を制御するように構成され、
前記要求に応答して前記構成情報を前記第1のデバイスに伝達するように実行可能な命令を含み、前記構成情報は前記装置によって施された治療の進度に基づいて調整される、コンピュータプログラム。
【請求項２９】
輸液ポンプであって、
前記輸液ポンプを少なくとも第1のデバイスにおいて複製されるように構成するのに使用される構成情報を求める要求を受け取るように構成される受信機であって、前記要求が、前記輸液ポンプが前記第1のデバイスの物理的に近くに配置されている場合に受け取られ、物理的に近くに配置されることが、前記輸液ポンプおよび前記第1のデバイスの一方における近距離無線または近接センサが前記輸液ポンプおよび前記第1のデバイスの他方の存在を検出できることを意味する受信機と、
溶液を投与するためのポンピング機構と、
前記ポンピング機構を前記構成情報に基づいて動作させるように構成される処理システムであって、第2のデバイスが前記動作を制御するように構成された処理システムと、
前記受信機によって受け取られた前記要求に応答して前記構成情報を前記第1のデバイスに伝達するように構成された送信機と
を備え、前記構成情報は前記輸液ポンプによって施された治療の進度に基づいて調整される、輸液ポンプ。
【請求項３０】
構成情報を複製するための装置であって、
少なくとも第1のデバイスを少なくとも第2のデバイスにおいて複製されるように構成するのに使用される前記構成情報を求める要求を受け取るように構成される受信機であって、前記要求が、前記第2のデバイスが前記第1のデバイスの物理的に近くに配置されている場合に受け取られ、物理的に近くに配置されることが、前記第1のデバイスおよび前記第2のデバイスの一方における近距離無線または近接センサが前記第1のデバイスおよび前記第2のデバイスの他方の存在を検出できることを意味する受信機と、
第1のデバイスまたは第2のデバイスの少なくとも一方を制御するように構成された処理システムと、
前記受信機によって受け取られた前記要求に応答して前記構成情報を前記第2のデバイスに伝達するように構成された送信機と
を備え、前記構成情報は前記第1のデバイスによって施された治療の進度に基づいて調整される、装置。
【請求項３１】
前記処理システムは、前記構成情報に基づいて動作を開始すること、前記動作を停止すること、前記動作の進行を監視すること、または前記動作に基づいてアラームを監視することのうちの少なくとも1つによって前記第1のデバイスまたは前記第2のデバイスの前記少なくとも一方を制御するようにさらに構成される、請求項30に記載の装置。
【請求項３２】
前記処理システムは、前記要求に応答して前記構成情報を別の装置から得るようにさらに構成される、請求項30に記載の装置。
【請求項３３】
前記処理システムは、前記第2のデバイスと通信する前に前記構成情報を調整するようにさらに構成される、請求項30に記載の装置。
【請求項３４】
前記構成情報は、
前記第1のデバイスを制御するためのパラメータ、
前記第1のデバイスの動作の現在のステータス、または
前記第1のデバイスにおいて記録されたデータ
のうちの少なくとも1つを含む、請求項30に記載の装置。
【請求項３５】
前記送信機は、前記構成情報を第3のデバイスを介して前記第2のデバイスに転送することによって通信するように構成される、請求項30に記載の装置。
【請求項３６】
前記第3のデバイスはハブである、請求項35に記載の装置。
【請求項３７】
前記受信機は、前記構成情報を前記第1のデバイスから受け取るようにさらに構成され、前記処理システムは、
前記構成情報を前記第2のデバイスに伝達する前に前記第1のデバイスから受け取られた前記構成情報に関する調整情報または前記構成情報の確認の少なくとも一方を別の装置または前記装置に関連付けられたユーザインターフェースの少なくとも一方から得て、
前記調整情報が得られた場合、前記伝達の前に前記調整情報に基づいて前記構成情報を調整するようにさらに構成され、前記送信機は、前記調整された構成情報を前記第2のデバイスに伝達するように構成される、請求項30に記載の装置。
【請求項３８】
構成情報を複製するための方法であって、
少なくとも第1のデバイスを少なくとも第2のデバイスにおいて複製されるように構成するのに使用される前記構成情報を求める要求を受け取るステップであって、前記要求が、前記第2のデバイスが前記第1のデバイスの物理的に近くに配置されている場合に受け取られ、物理的に近くに配置されることが、前記第1のデバイスおよび前記第2のデバイスの一方における近距離無線または近接センサが前記第1のデバイスおよび前記第2のデバイスの他方の存在を検出できることを意味するステップと、
前記第1のデバイスまたは前記第2のデバイスの少なくとも一方を制御するステップと、
前記要求に応答して前記構成情報を前記第2のデバイスに伝達するステップと
を含み、前記構成情報は前記第1のデバイスによって施された治療の進度に基づいて調整される、方法。
【請求項３９】
前記第1のデバイスまたは前記第2のデバイスの少なくとも一方を制御するステップは、前記構成情報に基づいて動作を開始するステップ、前記動作を停止するステップ、前記動作の進行を監視するステップ、または前記動作に基づいてアラームを監視するステップのうちの少なくとも1つを含む、請求項38に記載の方法。
【請求項４０】
前記要求に応答して前記構成情報を装置から得るステップをさらに含む、請求項38に記載の方法。
【請求項４１】
前記第2のデバイスと通信する前に前記構成情報を調整するステップをさらに含む、請求項38に記載の方法。
【請求項４２】
前記構成情報は、
前記第1のデバイスを制御するためのパラメータ、
前記第1のデバイスの動作の現在のステータス、または
前記第1のデバイスにおいて記録されたデータ
のうちの少なくとも1つを含む、請求項38に記載の方法。
【請求項４３】
前記伝達するステップは、前記構成情報を第3のデバイスを介して前記第2のデバイスに転送するステップを含む、請求項38に記載の方法。
【請求項４４】
前記第3のデバイスはハブである、請求項43に記載の方法。
【請求項４５】
前記構成情報を前記第1のデバイスから受け取るステップと、
前記構成情報を前記第2のデバイスに伝達する前に前記第1のデバイスから受け取られた前記構成情報に関する調整情報または前記構成情報の確認の少なくとも一方を装置から得るステップと、
前記調整情報が得られた場合、前記伝達の前に前記調整情報に基づいて前記構成情報を調整するステップと
をさらに含み、前記伝達するステップは、前記調整された構成情報を前記第2のデバイスに伝達するステップを含む、請求項38に記載の方法。
【請求項４６】
構成情報を複製するための装置であって、
少なくとも第1のデバイスを少なくとも第2のデバイスにおいて複製されるように構成するのに使用される前記構成情報を求める要求を受け取るための手段であって、前記要求が、前記第2のデバイスが前記第1のデバイスの物理的に近くに配置されている場合に受け取られ、物理的に近くに配置されることが、前記第1のデバイスおよび前記第2のデバイスの一方における近距離無線または近接センサが前記第1のデバイスおよび前記第2のデバイスの他方の存在を検出できることを意味する手段と、
前記第1のデバイスまたは前記第2のデバイスの少なくとも一方を制御するための手段と、
前記受け取るための手段によって受け取られた前記要求に応答して前記構成情報を前記第2のデバイスに伝達するための手段と
を備え、前記構成情報は前記第1のデバイスによって施された治療の進度に基づいて調整される、装置。
【請求項４７】
前記第1のデバイスまたは前記第2のデバイスの少なくとも一方を制御するための前記手段は、前記構成情報に基づいて動作を開始すること、前記動作を停止すること、前記動作の進行を監視すること、または前記動作に基づいてアラームを監視することのうちの少なくとも1つを行うように構成される、請求項46に記載の装置。
【請求項４８】
前記要求に応答して前記構成情報を別の装置から得るための手段をさらに含む、請求項46に記載の装置。
【請求項４９】
前記第2のデバイスと通信する前に前記構成情報を調整するための手段をさらに備える、請求項46に記載の装置。
【請求項５０】
前記構成情報は、
前記第1のデバイスを制御するためのパラメータ、
前記第1のデバイスの動作の現在のステータス、または
前記第1のデバイスにおいて記録されたデータ
のうちの少なくとも1つを含む、請求項46に記載の装置。
【請求項５１】
前記伝達するための手段は、前記構成情報を第3のデバイスを介して前記第2のデバイスに転送するように構成される、請求項46に記載の装置。
【請求項５２】
前記第3のデバイスはハブである、請求項51に記載の装置。
【請求項５３】
前記構成情報を前記第1のデバイスから受け取るための手段と、
前記構成情報を前記第2のデバイスに伝達する前に前記第1のデバイスから受け取られた前記構成情報に関する調整情報または前記構成情報の確認の少なくとも一方を別の装置または前記装置に関連付けられたユーザインターフェースの少なくとも一方から得るための手段と、
前記調整情報が得られた場合、前記伝達の前に前記調整情報に基づいて前記構成情報を調整するための手段をさらに備え、前記伝達するための手段は、前記調整された構成情報を前記第2のデバイスに伝達するように構成される、請求項46に記載の装置。
【請求項５４】
構成情報を複製するためのコンピュータプログラムであって、
少なくとも第1のデバイスを少なくとも第2のデバイスにおいて複製されるように構成するのに使用される前記構成情報を求める要求を受け取り、ただし前記要求が、前記第2のデバイスが前記第1のデバイスの物理的に近くに配置されている場合に受け取られ、物理的に近くに配置されることが、前記第1のデバイスおよび前記第2のデバイスの一方における近距離無線または近接センサが前記第1のデバイスおよび前記第2のデバイスの他方の存在を検出できることを意味し、
前記第1のデバイスまたは前記第2のデバイスの少なくとも一方を制御し、
前記要求に応答して前記構成情報を前記第2のデバイスに伝達するように実行可能な命令を含み、前記構成情報は前記第1のデバイスによって施された治療の進度に基づいて調整される、コンピュータプログラム。
【請求項５５】
構成情報を複製するためのハブであって、
少なくとも1つのアンテナと、
少なくとも第1のデバイスを少なくとも第2のデバイスにおいて複製されるように構成するのに使用される前記構成情報を求める要求を前記少なくとも1つのアンテナを介して受け取るように構成される受信機であって、前記要求が、前記第2のデバイスが前記第1のデバイスの物理的に近くに配置されている場合に受け取られ、物理的に近くに配置されることが、前記第1のデバイスおよび前記第2のデバイスの一方における近距離無線または近接センサが前記第1のデバイスおよび前記第2のデバイスの他方の存在を検出できることを意味する受信機と、
第1のデバイスまたは第2のデバイスの少なくとも一方を制御するように構成された処理システムと、
前記受信機によって受け取られた前記要求に応答して前記構成情報を前記少なくとも1つのアンテナを介して前記第2のデバイスに伝達するように構成された送信機と
を備え、前記構成情報は前記第1のデバイスによって施された治療の進度に基づいて調整される、ハブ。
【請求項５６】
構成情報を複製するための第1の装置であって、
少なくとも1つの第1のデバイスを構成するために第2の装置によって使用される前記構成情報を前記第2の装置から受け取るように構成される受信機であって、前記構成情報が、要求に応答して送られており、前記要求が、前記第2の装置が前記第1のデバイスの物理的に近くに配置されている場合に発行され、物理的に近くに配置されることが、前記第1のデバイスおよび前記第2の装置の一方における近距離無線または近接センサが前記第1のデバイスおよび前記第2の装置の他方の存在を検出できることを意味する受信機と、
前記構成情報に基づいて少なくとも1つの第2のデバイスを制御するように構成された処理システムと
を備え、前記構成情報は前記第1のデバイスによって施された治療の進度に基づいて調整される、第1の装置。
【請求項５７】
前記少なくとも1つの第2のデバイスは前記少なくとも1つの第1のデバイスである、請求項56に記載の第1の装置。
【請求項５８】
前記構成情報を前記少なくとも1つの第2のデバイスに伝達するように構成された送信機をさらに備える、請求項56に記載の第1の装置。
【請求項５９】
前記処理システムは、前記少なくとも1つの第2のデバイスと通信する前に前記構成情報を調整するようにさらに構成される、請求項58に記載の第1の装置。
【請求項６０】
前記処理システムは、
前記構成情報を前記少なくとも1つの第2のデバイスに伝達する前に前記第2の装置から受け取られた前記構成情報に関する調整情報または前記構成情報の確認の少なくとも一方を第3の装置または前記第1の装置に関連付けられたユーザインターフェースの少なくとも一方から得て、
前記調整情報が得られた場合、前記伝達の前に前記調整情報に基づいて前記構成情報を調整するようにさらに構成され、前記送信機は、前記調整された構成情報を前記少なくとも1つの第2のデバイスに伝達するように構成される、請求項58に記載の第1の装置。
【請求項６１】
前記構成情報は、
前記少なくとも1つの第1のデバイスを制御するためのパラメータ、
前記少なくとも1つの第1のデバイスの動作の現在のステータス、または
前記少なくとも1つの第1のデバイスにおいて記録されたデータ
のうちの少なくとも1つを含む、請求項56に記載の第1の装置。
【請求項６２】
前記処理システムは、前記構成情報に基づいて動作を開始すること、前記動作を停止すること、前記動作の進行を監視すること、または前記動作に基づいてアラームを監視することのうちの少なくとも1つによって前記少なくとも1つの第2のデバイスを制御するように構成される、請求項56に記載の第1の装置。
【請求項６３】
第1の装置において構成情報を複製するための方法であって、
少なくとも1つの第1のデバイスを構成するために第2の装置によって使用される前記構成情報を前記第2の装置から受け取るステップであって、前記構成情報が、要求に応答して送られており、前記要求が、前記第2の装置が前記第1のデバイスの物理的に近くに配置されている場合に発行され、物理的に近くに配置されることが、前記第1のデバイスおよび前記第2の装置の一方における近距離無線または近接センサが前記第1のデバイスおよび前記第2の装置の他方の存在を検出できることを意味するステップと、
前記構成情報に基づいて少なくとも1つの第2のデバイスを制御するステップと
を含み、前記構成情報は前記第1のデバイスによって施された治療の進度に基づいて調整される、方法。
【請求項６４】
前記少なくとも1つの第2のデバイスは前記少なくとも1つの第1のデバイスである、請求項63に記載の方法。
【請求項６５】
前記構成情報を前記少なくとも1つの第2のデバイスに伝達するステップをさらに含む、請求項63に記載の方法。
【請求項６６】
前記少なくとも1つの第2のデバイスと通信する前に前記構成情報を調整するステップをさらに含む、請求項65に記載の方法。
【請求項６７】
前記構成情報を前記少なくとも1つの第2のデバイスに伝達する前に前記第2の装置から受け取られた前記構成情報に関する調整情報または前記構成情報の確認の少なくとも一方を第3の装置または前記第1の装置に関連付けられたユーザインターフェースの少なくとも一方から得るステップと、
前記調整情報が得られた場合、前記伝達の前に前記調整情報に基づいて前記構成情報を調整するステップと
をさらに含み、前記伝達するステップは、前記調整された構成情報を前記少なくとも1つの第2のデバイスに伝達するステップを含む、請求項65に記載の方法。
【請求項６８】
前記構成情報は、
前記少なくとも1つの第1のデバイスを制御するためのパラメータ、
前記少なくとも1つの第1のデバイスの動作の現在のステータス、または
前記少なくとも1つの第1のデバイスにおいて記録されたデータ
のうちの少なくとも1つを含む、請求項63に記載の方法。
【請求項６９】
前記少なくとも1つの第2のデバイスを制御するステップは、前記構成情報に基づいて動作を開始するステップ、前記動作を停止するステップ、前記動作の進行を監視するステップ、または前記動作に基づいてアラームを監視するステップのうちの少なくとも1つを含む、請求項63に記載の方法。
【請求項７０】
構成情報を複製するための第1の装置であって、
少なくとも1つの第1のデバイスを構成するために第2の装置によって使用される前記構成情報を前記第2の装置から受け取るための手段であって、前記構成情報が、要求に応答して送られており、前記要求が、前記第2の装置が前記第1のデバイスの物理的に近くに配置されている場合に発行され、物理的に近くに配置されることが、前記第1のデバイスおよび前記第2の装置の一方における近距離無線または近接センサが前記第1のデバイスおよび前記第2の装置の他方の存在を検出できることを意味する手段と、
前記構成情報に基づいて少なくとも1つの第2のデバイスを制御するための手段と
を備え、前記構成情報は前記第1のデバイスによって施された治療の進度に基づいて調整される、第1の装置。
【請求項７１】
前記少なくとも1つの第2のデバイスは前記少なくとも1つの第1のデバイスである、請求項70に記載の第1の装置。
【請求項７２】
前記構成情報を前記少なくとも1つの第2のデバイスに伝達するための手段をさらに備える、請求項70に記載の第1の装置。
【請求項７３】
前記少なくとも1つの第2のデバイスと通信する前に前記構成情報を調整するための手段をさらに備える、請求項72に記載の第1の装置。
【請求項７４】
前記構成情報を前記少なくとも1つの第2のデバイスに伝達する前に前記第2の装置から受け取られた前記構成情報に関する調整情報または前記構成情報の確認の少なくとも一方を第3の装置または前記第1の装置に関連付けられたユーザインターフェースの少なくとも一方から得るための手段と、
前記調整情報が得られた場合、前記伝達の前に前記調整情報に基づいて前記構成情報を調整するための手段をさらに備え、前記伝達するための手段は、前記調整された構成情報を前記少なくとも1つの第2のデバイスに伝達するように構成される、請求項72に記載の第1の装置。
【請求項７５】
前記構成情報は、
前記少なくとも1つの第1のデバイスを制御するためのパラメータ、
前記少なくとも1つの第1のデバイスの動作の現在のステータス、または
前記少なくとも1つの第1のデバイスにおいて記録されたデータ
のうちの少なくとも1つを含む、請求項70に記載の第1の装置。
【請求項７６】
前記少なくとも1つの第2のデバイスを制御するための前記手段は、前記構成情報に基づいて動作を開始すること、前記動作を停止すること、前記動作の進行を監視すること、または前記動作に基づいてアラームを監視することのうちの少なくとも1つを行うように構成される、請求項70に記載の第1の装置。
【請求項７７】
第1の装置において構成情報を複製するためのコンピュータプログラムであって、
少なくとも1つの第1のデバイスを構成するために第2の装置によって使用される前記構成情報を前記第2の装置から受け取り、ただし前記構成情報が、要求に応答して送られており、前記要求が、前記第2の装置が前記第1のデバイスの物理的に近くに配置されている場合に発行され、物理的に近くに配置されることが、前記第1のデバイスおよび前記第2の装置の一方における近距離無線または近接センサが前記第1のデバイスおよび前記第2の装置の他方の存在を検出できることを意味し、
前記構成情報に基づいて少なくとも1つの第2のデバイスを制御するように実行可能な命令を含み、前記構成情報は前記第1のデバイスによって施された治療の進度に基づいて調整される、コンピュータプログラム。
【請求項７８】
構成情報を複製するためのハブであって、
少なくとも1つのアンテナと、
少なくとも1つの第1のデバイスを構成するために装置によって使用される前記構成情報を前記少なくとも1つのアンテナを介して前記装置から受け取るように構成される受信機であって、前記構成情報が、要求に応答して送られており、前記要求が、前記装置が前記第1のデバイスの物理的に近くに配置されている場合に発行され、物理的に近くに配置されることが、前記装置および前記第1のデバイスの一方における近距離無線または近接センサが前記装置および前記第1のデバイスの他方の存在を検出できることを意味する受信機と、
前記構成情報に基づいて少なくとも1つの第2のデバイスを制御するように構成された処理システムと
を備え、前記構成情報は前記第1のデバイスによって施された治療の進度に基づいて調整される、ハブ。
【発明の詳細な説明】
【技術分野】
【０００１】
関連出願の相互参照
本出願は、どちらも参照により本明細書に組み込まれている、2011年10月19日に出願された米国仮特許出願第61/549130号(整理番号120222P1)および2011年10月19日に出願された米国仮特許出願第61/549202号(整理番号120222P2)の利益を主張する。
【０００２】
本開示のいくつかの態様は概して、ワイヤレス通信に関し、より詳細には、機器を複製によって安全に自動構成するための技法に関する。
【背景技術】
【０００３】
様々なコンピュータ技法、電気的技法、および機械的技法が進歩しているので、多くの異なる種類の装置が、ますます複雑化している多数の新しい役割を実行するための拡張された範囲および機能を実現している。このように複雑さが増しているので、そのような装置の制御および構成もより複雑になり、時間がかかり、場合によってより多くのエラーが生じるようになっている。
【発明の概要】
【課題を解決するための手段】
【０００４】
本開示のいくつかの態様は、構成情報を複製するための装置を提供する。この装置は概して、装置を少なくとも第1のデバイスにおいて複製されるように構成するのに使用される構成情報を求める要求を受け取るように構成された受信機と、装置を構成情報に基づいて動作させるように構成される処理システムであって、動作が第2のデバイスによって制御される処理システムと、要求に応答して構成情報を第1のデバイスに伝達するように構成された送信機とを含む。
【０００５】
本開示のいくつかの態様は、構成情報を複製するための方法を提供する。この方法は概して、装置を少なくとも第1のデバイスにおいて複製されるように構成するのに使用される構成情報を求める要求を受け取るステップと、装置を構成情報に基づいて動作させるステップであって、動作が第2のデバイスによって制御されるステップと、要求に応答して構成情報を第1のデバイスに伝達するステップとを含む。
【０００６】
本開示のいくつかの態様は、構成情報を複製するための装置を提供する。この装置は概して、装置を少なくとも第1のデバイスにおいて複製されるように構成するのに使用される構成情報を求める要求を受け取るための手段と、装置を構成情報に基づいて動作させるための手段であって、動作が第2のデバイスによって制御される手段と、要求に応答して構成情報を第1のデバイスに伝達するための手段とを含む。
【０００７】
本開示のいくつかの態様は、構成情報を複製するためのコンピュータプログラム製品を提供する。コンピュータプログラム製品は概して、装置を少なくとも第1のデバイスにおいて複製されるように構成するのに使用される構成情報を求める要求を受け取り、装置を構成情報に基づいて動作させ、動作が第2のデバイスによって制御され、要求に応答して構成情報を第1のデバイスに伝達するように実行可能な命令を有するコンピュータ可読媒体を含む。
【０００８】
本開示のいくつかの態様は、輸液ポンプを提供する。輸液ポンプは概して、輸液ポンプを少なくとも第1のデバイスにおいて複製されるように構成するのに使用される構成情報を求める要求を受け取るように構成された受信機と、溶液を投与するためのポンピング機構と、ポンピング機構を構成情報に基づいて動作させるように構成される処理システムであって、動作が第2のデバイスによって制御される処理システムと、要求に応答して構成情報を第1のデバイスに伝達するように構成された送信機とを含む。
【０００９】
本開示のいくつかの態様は、構成情報を複製するための装置を提供する。この装置は概して、少なくとも第1のデバイスを少なくとも第2のデバイスにおいて複製されるように構成するのに使用される構成情報を求める要求を受け取るように構成された受信機と、第1のデバイスまたは第2のデバイスの少なくとも一方を制御するように構成された処理システムと、要求に応答して構成情報を第2のデバイスに伝達するように構成された送信機とを含む。
【００１０】
本開示のいくつかの態様は、構成情報を複製するための方法を提供する。この方法は概して、少なくとも第1のデバイスを少なくとも第2のデバイスにおいて複製されるように構成するのに使用される構成情報を求める要求を受け取るステップと、第1のデバイスまたは第2のデバイスの少なくとも一方を制御するステップと、要求に応答して構成情報を第2のデバイスに伝達するステップとを含む。
【００１１】
本開示のいくつかの態様は、構成情報を複製するための装置を提供する。この装置は概して、少なくとも第1のデバイスを少なくとも第2のデバイスにおいて複製されるように構成するのに使用される構成情報を求める要求を受け取るための手段と、第1のデバイスまたは第2のデバイスの少なくとも一方を制御するための手段と、要求に応答して構成情報を第2のデバイスに伝達するための手段とを含む。
【００１２】
本開示のいくつかの態様は、構成情報を複製するためのコンピュータプログラム製品を提供する。コンピュータプログラム製品は概して、少なくとも第1のデバイスを少なくとも第2のデバイスにおいて複製されるように構成するのに使用される構成情報を求める要求を受け取り、第1のデバイスまたは第2のデバイスの少なくとも一方を制御し、要求に応答して構成情報を第2のデバイスに伝達するように実行可能な命令を有するコンピュータ可読媒体を含む。
【００１３】
本開示のいくつかの態様は、構成情報を複製するためのハブを提供する。ハブは概して、少なくとも1つのアンテナと、少なくとも第1のデバイスを少なくとも第2のデバイスにおいて複製されるように構成するのに使用される構成情報を求める要求を少なくとも1つのアンテナを介して受け取るように構成された受信機と、第1のデバイスまたは第2のデバイスの少なくとも一方を制御するように構成された処理システムと、要求に応答して構成情報を少なくとも1つのアンテナを介して第2のデバイスに伝達するように構成された送信機とを含む。
【００１４】
本開示のいくつかの態様は、構成情報を複製するための第1の装置を提供する。この装置は概して、少なくとも1つの第1のデバイスを構成するために第2の装置によって使用される構成情報を第2の装置から受け取るように構成された受信機と、構成情報に基づいて少なくとも1つの第2のデバイスを制御するように構成された処理システムとを含む。
【００１５】
本開示のいくつかの態様は、第1の装置において構成情報を複製するための方法を提供する。この方法は概して、少なくとも1つの第1のデバイスを構成するために第2の装置によって使用される構成情報を第2の装置から受け取るステップと、構成情報に基づいて少なくとも1つの第2のデバイスを制御するステップとを含む。
【００１６】
本開示のいくつかの態様は、構成情報を複製するための装置を提供する。この装置は概して、少なくとも第1のデバイスを少なくとも第2のデバイスにおいて複製されるように構成するのに使用される構成情報を求める要求を受け取るための手段と、第1のデバイスまたは第2のデバイスの少なくとも一方を制御するための手段と、要求に応答して構成情報を第2のデバイスに伝達するための手段とを含む。
【００１７】
本開示のいくつかの態様は、第1の装置において構成情報を複製するためのコンピュータプログラム製品を提供する。コンピュータプログラム製品は概して、少なくとも1つの第1のデバイスを構成するために第2の装置によって使用される構成情報を第2の装置から受け取り、構成情報に基づいて少なくとも1つの第2のデバイスを制御するように実行可能な命令を有するコンピュータ可読媒体を含む。
【００１８】
本開示のいくつかの態様は、構成情報を複製するためのハブを提供する。ハブは概して、少なくとも1つのアンテナと、少なくとも1つの第1のデバイスを構成するために装置によって使用される構成情報を少なくとも1つのアンテナを介して装置から受け取るように構成された受信機と、構成情報に基づいて少なくとも1つの第2のデバイスを制御するように構成された処理システムとを含む。
【００１９】
本開示のいくつかの態様は、第1のデバイスのプログラミングをその構成を受けることのできる第2のデバイスに複製するためのシステムを提供する。構成はワイヤレス(または有線)通信リンクを介して転送されてよい。いくつかの態様では、構成を複数の新しいデバイスに同時にブロードキャストしてよい。第1のデバイスおよび第2のデバイスは医療用途に使用されてよい。いくつかの態様によれば、転送は、構成を第1のデバイスから要求し、第2のデバイス(たとえば、複製デバイス)に転送することのできる第3のワイヤレスデバイスを介して行われてよい。この場合、第3のデバイスは、第1のデバイスと第2のデバイスの両方のコントローラであってよい。第3のデバイスは、指定されたデバイスをプログラムする前に取り込まれた構成を調整する機会を与えてよい。
【００２０】
本開示のいくつかの態様は、1組のデバイスの制御をソースコントローラから目標コントローラに転送するためのシステムであって、ソースコントローラが、その構成データを目標コントローラに対して複製し、次いで、ソースコントローラに制御されるデバイスにデバイスの通信リンクを目標コントローラに転送するよう命令するシステムを提供する。
【００２１】
本開示のいくつかの態様は、1組のデバイスの制御をソースコントローラから目標コントローラに転送するためのシステムであって、ソースコントローラのデバイスの各々が個別に、その構成データを目標コントローラに対して複製するシステムを提供する。
【００２２】
本開示の上述の特徴を詳細に理解することができるように、添付の図面にその一部を示す態様を参照することによって、上で簡単に要約されたもののさらに具体的な説明が得られ得る。しかしながら、添付の図面は、本開示の特定の典型的な態様のみを示し、したがって、本開示の範囲の限定と見なされてはならず、その理由は、この説明が他の同等の効果のある態様をもたらし得るからであることに留意されたい。
【図面の簡単な説明】
【００２３】
【図１】本開示のいくつかの態様による、例示的な通信ネットワークの図である。
【図２】本開示のいくつかの態様による、例示的なワイヤレスデバイスのブロック図である。
【図３】本開示のいくつかの態様による、構成情報をソースデバイスから目標デバイスに転送するための例示的なシステムを示す図である。
【図４】本開示のいくつかの態様による、ソース制御ハブに関連付けられたデバイスの制御を目標制御ハブに転送するための例示的なシステムを示す図である。
【図５】本開示のいくつかの態様による、ソース制御ハブに関連付けられたデバイスの構成を目標制御ハブに関連付けられた対応するデバイスに転送するための例示的なシステムを示す図である。
【図６】本開示のいくつかの態様による、構成情報を複製するための例示的な動作を示す図である。
【図６Ａ】図6に示す動作を実行するための例示的な手段を示す図である。
【図７】本開示のいくつかの態様による、構成情報を複製するための例示的な動作を示す図である。
【図７Ａ】図7に示す動作を実行するための例示的な手段を示す図である。
【図８】本開示のいくつかの態様による、構成情報を複製するための例示的な動作を示す図である。
【図８Ａ】図8に示す動作を実行するための例示的な手段を示す図である。
【発明を実施するための形態】
【００２４】
以下に、本開示の様々な態様について、添付の図面を参照してより十分に説明する。しかしながら、本開示は、多くの異なる形態で具現化され得るものであり、本開示全体にわたって提示される任意の特定の構造または機能に限定されるものと解釈されるべきではない。むしろ、これらの態様は、本開示が周到で完全になり、本開示の範囲を当業者に十分に伝えるために与えられるものである。本明細書の教示に基づいて、本開示の範囲は、本開示の任意の他の態様とは独立に実装されるにせよ、本開示の任意の他の態様と組み合わせて実装されるにせよ、本明細書で開示される本開示のいかなる態様をも包含するものであることを、当業者は諒解されたい。たとえば、本明細書に記載の態様をいくつ使用しても、装置を実装することができ、または方法を実施することができる。さらに、本開示の範囲は、本明細書に記載の本開示の様々な態様に加えて、またはそれらの態様以外に、他の構造、機能、または構造および機能を使用して実施されるような装置または方法を包含するものとする。本明細書で開示される本開示の任意の態様が、請求項の1つまたは複数の要素によって具現化され得ることを理解されたい。
【００２５】
「例示的な」という語は、本明細書では、「実例、または具体例としての役割を果たすこと」を意味するように用いられている。「例示的な」ものとして本明細書で説明されるいずれの態様も、必ずしも他の態様と比べて好ましいと解釈されるわけでもまたは有利であると解釈されるわけでもない。
【００２６】
本明細書では特定の態様が説明されるが、これらの態様の多くの変形形態および置換形態は本開示の範囲内に入る。好ましい態様のいくつかの利益および利点に言及するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかが例として図および好ましい態様についての以下の説明で示される。詳細な形態および図面は、限定的なものではなく本開示を説明するものにすぎず、本開示の範囲は添付の特許請求の範囲およびその等価物によって規定される。
【００２７】
例示的な通信システム
図1は、コントローラ/ハブ102および1つまたは複数のワイヤレスデバイス104を含む例示的な分散型通信システム100を示す。コントローラ/ハブ102は、1つまたは複数のアンテナを使用して1つまたは複数のワイヤレスチャネルを介してワイヤレスデバイス104と通信し、かつ/あるいは1つまたは複数の有線接続を介してワイヤレスデバイス104と通信してよい。コントローラ/ハブ102は、IEEE802.11ネットワークにおけるアクセスポイント(AP)またはWi-Fiホットスポットと同様に働いてよい。
【００２８】
通信システム100は、病院、診療所、ホスピス、または家庭などのヘルスケア環境において使用されてよい。そのような場合、ワイヤレスデバイス104は、輸液ポンプ、血圧モニタ、パルスオキシメータ、心電図(ECG)などのような様々な適切なワイヤレス医療デバイスのうちのいずれかを含んでもよい。コントローラ/ハブ102は、1人の患者に関連付けられてもよく、コントローラ/ハブ102とそれに関連付けられたワイヤレスデバイスは室内ネットワーク110を形成してよい。室内ネットワーク110は、ローカルエリアネットワーク(LAN)またはホームネットワークと同様に働いてよい。ある種のワイヤレスデバイス104は、患者によって装着されるか(たとえば指装着ユニットまたは手首装着ユニット)、患者の体内に挿入または移植されるか、あるいは患者のベッド、ガーニー、衣服、または患者の物理的に近くに概して留められる他のデバイス(たとえば歩行器、杖、時計、または眼鏡)に取り付けられるかまたは埋め込まれてよい。
【００２９】
コントローラ/ハブ102とワイヤレスデバイス104との間のワイヤレス通信は、近距離通信(NFC)、Bluetooth（登録商標）、Bluetooth Low Energy(BTLE)、IEEE802.11規格に準拠したWi-Fi、Zigbee（登録商標）、AND/ANT+、ボディエリアネットワークを開発するためのToumaz Healthcare Ltd.s' Sensium(商標)プラットフォーム、Medical Implant Communication Service(MICS)などの、様々な適切なワイヤレス技法のうちのいずれかを使用してよい。ワイヤレス通信は、赤外線(IR)技法、バーコードスキャニング技法、またはその他の光学技法を介して行われてよい。
【００３０】
ユーザインターフェース106は、ユーザ(たとえば、医者、看護師、または患者自体)がコントローラ/ハブ102と通信するためのインターフェースを提供することができる。ユーザインターフェース106は、タブレット(図示)、スマートフォン、携帯電話、ラップトップ、または専用電子ハードウェアなどのネットワーク化デバイスを備えてよい。ユーザインターフェース106は、コントローラ/ハブ102、ヘルスケア施設イントラネット(たとえば病院イントラネット)、またはワイヤレスデバイス104と物理的なワイヤを介して直接接続されても、またはワイヤレスに接続されても、またはその両方によって接続されてもよい。ユーザインターフェース106とコントローラ/ハブ102またはワイヤレスデバイス104との接続は、室内ネットワーク110の一部であってよい。
【００３１】
サーバ108は、コントローラ/ハブ102とヘルスケア施設イントラネットとの間のインターフェースを提供することができる。サーバ108は、ヘルスケア情報システム(HIS)の一部として、患者の電子医療記録(EMR)を記憶しかつ電子医療記録にアクセスすることができ、患者のアレルギーに対する治療を検査して投薬の矛盾を防止するためのインテリジェンスを実現することができる。いくつかの態様では、コントローラ/ハブ102は、室内ネットワーク110と施設イントラネットとの間のインターフェースのみを提供することができる。コントローラ/ハブ102は、施設イントラネットに有線技法(たとえば、イーサネット（登録商標）)を介して直接接続されても、あるいは有線技法を介してサーバ108に接続されたワイヤレスルータを介して間接的に接続されても、あるいは公衆有線ネットワーク技法もしくは専用有線ネットワーク技法、ワイヤレスネットワーク技法、またはハイブリッドネットワーク技法を介して間接的に接続されてもよい。
【００３２】
ヘルスケア環境における通信システム100内の様々な装置間の相互作用のある例示的なシナリオでは、患者に薬物が送達される。まず、輸液ポンプ(たとえば、ワイヤレスデバイス104)が、患者によって装着されたバーコードリストバンドに含めることのできる患者の識別情報(ID)をスキャンしてもよい。次いで、NFCをコントローラ/ハブ102とポンプとの帯域外のペアリングに使用してよい。ポンプは、コントローラ/ハブ102に患者のIDを通知してよい。このことに基づいて、コントローラ/ハブ102はHIS/EMRに患者の治療情報を問い合わせてよい。この情報が受け取られた後、コントローラ/ハブ102は特定の経静脈(IV)療法治療向けにポンプを構成してよい(すなわち、ポンプに構成情報を送ってよい)。構成情報には、溶液と薬剤の組、溶液の密度、流量、総輸液量、および患者が受けるように処方された経静脈療法の(間欠流パターンにおける)間隔を含めてもよい。ユーザインターフェース106は、介護者に治療を確認するよう促してよく、介護者は、確認後、たとえばIV溶液バッグ上のバーコード、クイックリスポンス(QR)コード、または無線周波数識別情報(RFID)をIV溶液バッグをポンプに連結する前または後にスキャンしてよい。コントローラ/ハブ102は、場合によっては介護者のコマンドで輸液ポンプに治療を開始するよう通知してよい。ポンプからのデータがコントローラ/ハブ102に送られてよく、特定の受け取られたデータをヘルスケア施設イントラネットまたは他のワイヤレスリンクもしくは有線リンクを介してHISに送ってよい。
【００３３】
図2は、ワイヤレスデバイス202において使用することができる様々な構成要素を示す。ワイヤレスデバイス202は、本明細書で説明する様々な方法を実装するように構成され得るデバイスの一例である。ワイヤレスデバイス202は、上記に図1に関して説明したようなコントローラ/ハブ102またはワイヤレスデバイス104であってよい。
【００３４】
ワイヤレスデバイス202は、ワイヤレスデバイス202の動作を制御するプロセッサ204を含み得る。プロセッサ204は、中央処理装置(CPU)と呼ばれることもある。読取り専用メモリ(ROM)とランダムアクセスメモリ(RAM)の両方を含み得るメモリ206は、命令とデータとをプロセッサ204に与える。メモリ206の一部分は、不揮発性ランダムアクセスメモリ(NVRAM)も含み得る。プロセッサ204は、一般に、メモリ206内に記憶されたプログラム命令に基づいて論理および算術演算を実行する。メモリ206中の命令は、本明細書で説明される方法を実施するように実行可能であり得る。
【００３５】
ワイヤレスデバイス202は、ワイヤレスデバイス202と遠隔地との間のデータの送信および受信を可能にするための送信機210と受信機212とを含み得る、筐体208も含み得る。送信機210および受信機212は、送受信機214へと組み合わされ得る。アンテナ216は、筐体208に取り付けられ、送受信機214に電気的に結合され得る。ワイヤレスデバイス202は、(図示しない)複数の送信機、複数の受信機、複数の送受信機、および/または複数のアンテナも含み得る。
【００３６】
ワイヤレスデバイス202は、送受信機214によって受信された信号のレベルを検出および定量化するために使用され得る信号検出器218も含み得る。信号検出器218は、総エネルギー、パイロットサブキャリアからのパイロットエネルギーまたはプリアンブルシンボルからの信号エネルギー、電力スペクトル密度および他の信号などの信号を検出し得る。ワイヤレスデバイス202は、信号を処理する際に使用するためのデジタル信号プロセッサ(DSP)220も含み得る。
【００３７】
ワイヤレスデバイス202の様々なコンポーネントは、データバスに加えて、電力バス、制御信号バス、およびステータス信号バスを含み得るバスシステム222によって一緒に結合され得る。
【００３８】
複製による機器の安全な自動構成の例
医療機器はますますコンピュータ化されている。これによって多くの利益がもたらされるが、厄介な構成手順を伴うことも多い。多くの場合、新しい医療機器は、たとえばバッテリ充電が不十分であったり、もはや滅菌されているとは見なされなかったり、損傷を受けていたりする別の機器に取って代わることができる。一般に、新しい機器が構成済みの機器に取って代わる際、新しい機器は、元の機器が構成されたのと同様に構成される。構成プロセスは、機器を交換するたびに繰り返される可能性が非常に高くなり得る。たとえば、患者はポンプを介した特定の経静脈(IV)点滴を連続的に施されることがある。1回の治療が終了すると、別のバッグが運ばれ、通常、元の治療の完全な構成が繰り返される。
【００３９】
いくつかの態様では、2個の機器が互いに通信する機能を有する場合、構成情報を古い機器から新しい機器に転送し、それによって構成の負担を軽減することが可能である。いくつかの態様では、複製デバイスが、機能が複製デバイスによって複製されるデバイスと直接通信するかまたは第3の(有線もしくはワイヤレス)デバイスを介して通信することができる場合、複製デバイスが、複製デバイスと交換されるデバイスの構成を受けることのできるプロトコルを確立し、適切に検証し、場合によっては修正してもよい。いくつかの態様では、第3のデバイスは2つのデバイスのコントローラであってよい。この複製は、介護者によって入力される構成データエントリの量をかなり減らし、そのような構成のエラーが低減する可能性が非常に高くなり得る。さらに、伝染病の流行または天災の発生後などの緊急時には、多数の人に共通の治療を容易に一度に構成することができる。さらに、システム内のすべてのデバイスをこの構成機能を使用してあるコントローラから別のコントローラに引き渡すことができる。
【００４０】
図3は、本開示のいくつかの態様による、構成情報をソースデバイス(輸液ポンプなど)から目標デバイスに転送するための例示的なシステム300を示す。システム300は、制御ハブ320(たとえば、図1に示すコントローラ/ハブ102)に通信可能に結合されたタブレット322、サーバ324、ソースポンプ326、および目標ポンプ328を含む。
【００４１】
いくつかの態様では、ソースポンプ326および目標ポンプ328ならびに制御ハブ320は、一般に1人の患者に関連付けられる室内ネットワーク110の一部である。制御ハブ320は一般に、タブレット322およびサーバ324と相互作用し、ポンプ326、328、血圧モニタ、パルスオキシメータ、心電図(ECG)、または患者の手首装着式ユニットなどの他のすべての室内機器を制御する。制御ハブ320は、構成情報を更新するかまたは1つまたは複数の特定の動作パラメータを設定または調整することによって室内機器を制御してよい。制御ハブ320は、有線リンクまたはワイヤレスリンクを介して他の室内機器、タブレット322、およびサーバ324に通信可能に結合されてよく、タブレット322などのユーザインターフェースデバイスを介して他の室内機器にアクセスしてもよい。
【００４２】
サーバ324は一般に、制御ハブ320とヘルスケアネットワーク(たとえば、病院ネットワーク)(図示せず)との間のインターフェースを提供し、ワークリスト、患者記録、送達すべき薬剤に関する情報などの情報にアクセスし、制御ハブ320からのステータス報告を中継する。タブレット322はシステム300のユーザインターフェースを提供する。タブレット322は、介護者(たとえば、病院または診療所内の看護師、医師の助手(PA)、医師など)によってサーバ324上の情報にアクセスし、サーバ324を介してヘルスケアネットワークにアクセスするために使用されてよい。タブレット322は、介護者によって、制御ハブ320にコマンドを発行し制御ハブ320を介して医療機器にコマンドを発行し、ネットワークおよび機器のステータスを見るために使用されてもよい。ポンプ326、328は、薬剤の送達に使用され、一般に患者への薬剤の流量を調節する。ポンプ326、328は、たとえば、ポンプによってスキャンされる固有のバーコードによって識別される、特定の経静脈(IV)バッグに関連付けられてよい。この室内機器は、心電図(ECG)、血圧監視デバイス、パルスオキシメータ、サーモメータなどの患者装着式センサをさらに含んでよい。
【００４３】
いくつかの態様では、システムは室内ネットワーク110のデバイス同士の間で構成情報を直接転送するかまたは制御ハブを介して転送することを可能にする。たとえば、制御ハブ320を使用せずにソースポンプ326のプログラミングを目標ポンプ328に複製することを望む介護者は、場合によっては自分自身をポンプの各々に対して認証することによって動作を開始してよい。この認証は、たとえば、証明書を備えたユーザデバイス、またはユーザ名とパスワードの対などの電子証明書を使用して実現されてよい。介護者は次いで、安全な通信チャネル330を使用して目標ポンプ328をソースポンプ326に関連付けてよい。ソースポンプ326は次いで、その構成データを自律的に通信チャネル330を介して目標ポンプ328に転送するか、または介護者のコマンドで通信チャネル330を介して目標ポンプ328に転送してよい。
【００４４】
いくつかの態様では、データの完全性を確保するために構成データを暗号化しかつ/または安全なチェックサムによって保護してよい。構成データにはたとえば、ソースポンプ326を制御するのに望ましいパラメータ、ソースポンプ326の動作の現在のステータス、記録管理または性能追跡のために記録されたデータ、ポンプによって施された治療の進度などを含めてよい。一態様では、介護者には、構成データを転送の前にソースポンプ326において修正するかまたは転送後に目標ポンプ328において修正する機会が与えられてよい。介護者は次いで、ソースポンプ326を廃棄し、目標ポンプ328の動作を(順次または同時に)開始し、場合によってはソースポンプ326が停止した点から動作を継続する。この構成では、ソースポンプおよび/または目標ポンプは、たとえばデバイスコントローラのデータベースに表されるような仮想デバイスであってよい。
【００４５】
いくつかの態様では、制御ハブ320を介してソースポンプのプログラミングを複製することを望む介護者は、最初に自分自身を制御ハブ320に対して認証することから開始する。この認証は、たとえば、証明書を備えたユーザデバイス、またはユーザ名とパスワードの対などの電子証明書を使用して実現されてよい。介護者は次いで、目標ポンプ328を制御ハブ320に関連付けてよい。制御ハブ320は、ソースポンプ326を選択した後、複製を実行するよう命令されてよい。制御ハブ320は、ソースポンプ326の構成を暗号化されたチャネル340aを介してソースポンプ326に問い合わせることによって取り込むか、またはキャッシュから取り込み、次いでその構成を介護者に(たとえば、タブレット322上で)提示してよい。構成データにはたとえば、ソースポンプ326を制御するのに望ましいパラメータ、ソースポンプ326の動作の現在のステータス、性能追跡のために記録されたデータ、治療の進度などを含めてよい。介護者には、たとえば制御ハブ320に構成データを転送するよう命令する前に、タブレット322を使用して構成データを修正する機会が与えられてもよい。介護者は次いで、転送を行うべき目標ポンプ328を選択してよい。制御ハブ320は、目標ポンプ328との安全なリンク340bを確立してよく、次いで構成情報をリンク340bを介して目標ポンプ328に転送してよい。一態様では、目標ポンプ328が首尾よく構成された後、ソースポンプ326を廃棄してよく、次いで目標ポンプ328の動作を開始し、場合によってはソースデバイスが停止した点から動作を継続してよい。
【００４６】
いくつかの態様では、介護者は、すでに関連付けられたデバイスであってもまたは新たに関連付けられたデバイスであってもよい転送を行うべき複数の目標デバイスを選択してよい。一態様では、複数の目標デバイスとの安全なブロードキャストリンクまたはマルチキャストリンクを確立してよく、構成データをこれらの目標デバイスに並列に転送してよい。
【００４７】
他の用途を実施可能にするために上述の機構を組み合わせてよい。たとえば、デバイスの拡張されたネットワークを介して特定の構成を伝搬させてよい。別の例として、2つのコントローラ間のデバイスの転送を管理してよい。この後者の例では、2つのコントローラの一方がアクティブであってよく、それに関連付けられたいくつかのデバイスを有し、2つのコントローラの他方はまだ構成されておらず、デバイスを有さない。現在コントローラとして指定されているデバイスをソースと呼んでよく、他のコントローラを目標として指定してよい。上記の2デバイス実装形態を使用して構成データを転送すると、ソースコントローラの役割を引き受けるために目標コントローラに関して指定されるすべてのデータが供給される可能性が高くなり得る。目標コントローラに関する安全なリンクの情報をソースコントローラによって管理されるデバイスに転送し、したがって、制御を円滑に転送する追加の動作を開始してよい。別の態様では、そのようなソースコントローラによって管理される各デバイスを個別に目標コントローラに関連付け直してよく、そのような動作が新しいデバイスと目標コントローラとの間の2デバイス実装形態における転送をトリガする。すべてのデバイスが対にされた後、ソースコントローラを安全に廃棄することができる。
【００４８】
図4は、本開示のいくつかの態様による、ソース制御ハブに関連付けられたデバイスの制御を目標制御ハブに転送するための例示的なシステム400を示す。システム400は、ポンプ412を含む室内ネットワークの動作を制御し、タブレット414およびサーバ416と相互作用するソース制御ハブ410を含む。いくつかの態様では、ソース制御ハブ410が目標制御ハブ420で置き換えられてよく、室内デバイスの制御を目標制御ハブ420に転送してよい。そのような転送を実行することを望む介護者は、まず目標制御ハブ420を安全な通信リンク430を介してソース制御ハブ410に関連付けてよい。ユーザは次いで、ソース制御ハブ410に室内デバイスの構成および制御を目標制御ハブ420に転送するよう命令してよい。ソース制御ハブ410は、室内デバイス(たとえば、ポンプ412)の構成を取り込み、安全な通信チャネル430を介して目標制御ハブ420に転送してよい。代替として、ソース制御ハブは室内デバイスの構成をローカルキャッシュから転送してよい。さらに、ソース制御ハブ410は、室内デバイスの制御を目標制御ハブ420に転送してよい。このことは、室内デバイスに関連するリンク情報を転送することを含んでよい。いくつかの態様では、各室内デバイスに個別に目標制御ハブ420が関連付け直されてよい。すべての室内デバイスが目標制御ハブ420と対にされ、目標制御ハブ420が首尾よくソース制御ハブ410の役割を引き受けた後、ソース制御ハブ410を安全に廃棄することができる。
【００４９】
いくつかの態様では、ポンプ(および場合によっては制御ハブ)などのある医療デバイスは、特定の日数の間動作した後十分に滅菌されていると見なされなくなる。そのような場合、古いポンプおよび/または関連する制御ハブを新しい対応するポンプおよび/または新しい制御ハブと交換してよい。したがって、古いデバイスの構成は、シームレスな動作ができるように新しい制御ハブに関連付けられた対応する新しいデバイスに転送されてよい。
【００５０】
図5は、本開示のいくつかの態様による、ソース制御ハブに関連付けられたデバイスの構成を目標制御ハブに関連付けられた対応するデバイスに転送するための例示的なシステム500を示す。システム500は、ポンプA1およびB1を含む室内ネットワークの動作を制御するソース制御ハブ510を含む。ソース制御ハブ510ならびに関連するポンプA1およびB1を新しい制御ハブおよび対応する新しいポンプで置き換えることを望む介護者はまず、(A1に対応する)新しいポンプA2および(B1に対応する)新しいポンプB2を新しい目標制御ハブ520に関連付けてよい。介護者は次いで、ソース制御ハブ510と目標制御ハブ520との間に安全な通信リンク530を確立し、ソース制御ハブ510にポンプA1およびB1の構成を目標制御ハブ520に転送するよう命令してよい。ソース制御ハブ510は、ポンプA1およびB1の構成を取り込み、安全な通信チャネル530を介して目標制御ハブ520に転送してよい。代替として、ソース制御ハブ510はポンプA1およびB1の構成をローカルキャッシュから転送してよい。介護者は次いで、目標制御ハブ520にポンプA2をポンプA1の構成によって構成し、ポンプB2をポンプB1の構成によって構成するよう命令してよい。ポンプA2およびB2が構成され動作する準備が整った後、ポンプA1およびB1ならびにソース制御ハブ510を廃棄してよく、目標制御ハブ520ならびにポンプA2およびB2に動作を引き継がせてよい。
【００５１】
図6は、本開示のいくつかの態様による、構成情報を複製するための例示的な動作600を示す。動作600は、ワイヤレスデバイス104などの装置によって実行されてよい。動作600は、602から開始してよく、装置が、装置を少なくとも第1の(ワイヤレス可能な)デバイスにおいて複製されるように構成するのに使用される構成情報を求める要求を受け取る。構成情報は、患者治療情報を含んでよい。604において、装置を構成情報に基づいて動作させてよく、この動作は第2の(ワイヤレス可能な)デバイス(たとえば、コントローラ/ハブ102)によって制御されてよい。606において、装置は、602において受け取られた要求に応答して構成情報を第1のデバイスに伝達してよい。
【００５２】
いくつかの態様によれば、装置は、602において要求を受け取った後装置の動作を継続すべきかそれとも停止すべきかを判定してよい。いくつかの態様では、装置は、606において構成情報が伝達された後で装置の動作を停止してよい。いくつかの態様では、動作を開始すること、動作を停止すること、動作の進行を監視すること、または動作に基づいてアラームを管理することの少なくとも1つが第2のデバイスによって制御される。
【００５３】
いくつかの態様では、606における伝達は、構成情報を第2のデバイスを介して第1のデバイスに転送することを含む。いくつかの態様では、要求は第2のデバイスから受け取られ、伝達は、構成情報を第1のデバイスに転送されるように第2のデバイスに送ることを含む。第2のデバイスは、構成情報が第1のデバイスに転送される前に構成情報を調整する機会を提供してよく、構成情報が調整された場合、調整された構成情報を第1のデバイスに伝達してよい。いくつかの態様では、第2のデバイスは装置および第1のデバイスを制御してよい。いくつかの態様では、伝達は、構成情報を第1のデバイスおよび1つまたは複数の追加の(ワイヤレス可能な)デバイスにワイヤレスに送ることを伴ってよい。伝達は、いくつかの態様では、構成情報をワイヤレスに転送することを含んでよい。
【００５４】
いくつかの態様によれば、装置は、602において要求を受け取ってから606において構成情報を第1のデバイスに伝達するまでの間に構成情報を調整してよい。いくつかの態様では、構成情報は、それまでに装置によって施されている治療の進度に基づいて調整される。たとえば、患者が1Lの溶液を受ける予定であり、装置がすでに2/3Lを投与している場合、構成情報は、残りの投与量は1/3Lだけであることを示すように調整されてよい。他の態様では、第2のデバイスが要求を受け取った後で構成情報を調整してよい。以前は有効な情報に対するそのような調整は、治療手順の前の段階とは異なる構成を伴うことがある治療手順の次の段階を実施するように行われてよい。
【００５５】
いくつかの態様によれば、装置または第1のデバイスの少なくとも一方は輸液ポンプなどの医療デバイスである。この場合、構成情報には、装置を制御するためのパラメータ、装置の動作の現在のステータス、記録管理または性能追跡のために装置において記録されたデータ、あるいは場合によっては部分的に施された治療を継続するために次のデバイス(たとえば、第1のデバイス)によって使用される装置によって行われた治療の進度、あるいは次のデバイスによって付加することのできる装置における他の累積的な記録のうちの少なくとも1つを含めてよい。
【００５６】
いくつかの態様によれば、装置は、装置によって与えられる治療がほぼなくなったかまたは完全になくなったこと、装置がもはや滅菌されているとは見なされないこと、装置のバッテリ充電が不十分であるかまたは不十分に近い状態であること、または装置が損傷を被っていることのうちの少なくとも1つに基づいて602において要求を受け取ってよい。いくつかの態様では、装置は、要求がユーザインターフェース106などの別の装置によって開始または承認された後に要求を受け取ってよい。
【００５７】
いくつかの態様によれば、動作600は、構成情報をローカルに装置のメモリに記憶することをさらに含んでよい。この場合、装置は、602において要求に応答して構成情報をメモリから取り込んでよい。
【００５８】
いくつかの態様では、要求は、装置と第1のデバイスを物理的に互いに近くに配置し、それによって一方または両方のデバイスにおける近距離無線または近接センサが相対するデバイス(すなわち、他方のデバイス)の存在を検出できるようにすることによって表されてよい。いくつかの態様では、要求は、装置が物理的に第1のデバイスの近く(たとえば、1m以内、またはNFCなどの場合には5cm以内)に配置されている場合に受け取られる。いくつかの態様では、要求は、要求がユーザインターフェース106によって開始または承認された後にのみ受け取られる。
【００５９】
いくつかの態様によれば、要求は、天災または伝染病などの緊急事態を理由として602において受け取られる。いくつかの態様によれば、要求は、装置によって与えられる治療がほぼなくなったかまたは完全になくなったこと、装置がもはや滅菌されているとは見なされないこと、装置のバッテリ充電が不十分であるかまたは不十分に近い状態であること、または装置が損傷を被っていることのうちの少なくとも1つに基づいて受け取られる。
【００６０】
図7は、本開示のいくつかの態様による、構成情報を複製するための例示的な動作700を示す。動作700は、コントローラ/ハブ102などの装置によって実行されてよい。動作700は、702から開始してよく、装置が、少なくとも第1の(ワイヤレス可能な)デバイスを少なくとも第2の(ワイヤレス可能な)デバイスにおいて複製されるように構成するのに使用される構成情報を求める要求を受け取る。いくつかの態様では、構成情報は患者治療情報を含む。第1のデバイスまたは第2のデバイスの少なくとも一方は輸液ポンプなどの医療デバイスであってよい。上述のように、構成情報には、第1のデバイスを制御するためのパラメータ、第1のデバイスの動作の現在のステータス、記録管理または性能追跡のために第1のデバイスにおいて記録されたデータ、あるいは場合によっては部分的に施された治療を継続するために次のデバイス(たとえば、第2のデバイス)によって使用される第1のデバイスによって行われた治療の進度、あるいは次のデバイスによって付加することのできる第1のデバイスにおける他の累積的な記録のうちの少なくとも1つを含めてよい。
【００６１】
704において、装置は第1のデバイスまたは第2のデバイスの少なくとも一方を制御してよい。いくつかの態様によれば、装置は、構成情報に基づいて動作を開始すること、動作を停止すること、動作の進行を監視すること、または動作に基づいてアラームを監視することのうちの少なくとも1つによって第1のデバイスまたは第2のデバイスの少なくとも一方を制御してよい。
【００６２】
706において、装置は、要求に応答して構成情報を第2のデバイスに伝達してよい。いくつかの態様では、装置は、706において第2のデバイスと通信する前に構成情報を調整してよい。
【００６３】
いくつかの態様によれば、動作700は、装置が要求に応答して構成情報を別の装置から取り込むことをさらに含んでよい。他の装置は、たとえばサーバ108であってよい。
【００６４】
いくつかの態様によれば、装置は、706において、構成情報を第3の(ワイヤレス可能な)デバイスを介して第2のデバイスに転送することによって構成情報を伝達してよい。そのような場合、装置は、第1のデバイスを含む第1の1組の(ワイヤレス可能な)デバイスを制御してよく、第3のデバイスは、第2のデバイスを含む第2の1組の(ワイヤレス可能な)デバイスを制御してよく、装置は、第1の1組のデバイスを第2の1組のデバイスにおいて複製するための構成情報を伝達してよい。第3のデバイスは、コントローラ/ハブ102などのハブであってよい。
【００６５】
いくつかの態様によれば、装置は構成情報を第1のデバイスから受け取ってよい。そのような場合、装置は、706において構成情報を第2のデバイスに伝達する前に、たとえば、第1のデバイスから受け取られた構成情報に関する調整情報または構成情報の確認の少なくとも一方を、別の装置(たとえば、サーバ108)または装置に関連付けられたユーザインターフェースの少なくとも一方から得てよい。調整情報が得られた場合、装置は、706における伝達の前に調整情報に基づいて構成情報を調整してよい。706における伝達は、調整された構成情報を第2のデバイスに伝達することを含んでよい。
【００６６】
図8は、本開示のいくつかの態様による、構成情報を複製するための例示的な動作800を示す。動作800は、コントローラ/ハブ102などの第1の装置によって実行されてよい。動作800は、802から開始してよく、第1の装置が、少なくとも1つの第1の(ワイヤレス可能な)デバイスを構成するために第2の装置によって使用される構成情報を第2の装置から受け取る。
【００６７】
804において、第1の装置は、構成情報に基づいて少なくとも1つの第2の(ワイヤレス可能な)デバイスを制御してよい。いくつかの態様では、少なくとも1つの第2のデバイスは少なくとも1つの第1のデバイスである。いくつかの態様では、第1の装置は、804において、構成情報に基づいて動作を開始すること、動作を停止すること、動作の進行を監視すること、または動作に基づいてアラームを監視することのうちの少なくとも1つによって少なくとも1つの第2のデバイスを制御してよい。
【００６８】
上述のように、構成情報には、第1のデバイスを制御するためのパラメータ、第1のデバイスの動作の現在のステータス、記録管理または性能追跡のために第1のデバイスにおいて記録されたデータ、あるいは場合によっては部分的に施された治療を継続するために次のデバイス(たとえば、第2のデバイス)によって使用される第1のデバイスによって行われた治療の進度、あるいは次のデバイスによって付加することのできる第1のデバイスにおける他の累積的な記録のうちの少なくとも1つを含めてよい。
【００６９】
いくつかの態様によれば、第1の装置は、806において構成情報を少なくとも1つの第2のデバイスに伝達してよい。そのような場合、第1の装置は、806において少なくとも1つの第2のデバイスと通信する前に構成情報を調整してよい。他のそのような場合、第1の装置は、806において構成情報を少なくとも1つの第2のデバイスに伝達する前に、たとえば、第2のデバイスから受け取られた構成情報に関する調整情報または構成情報の確認の少なくとも一方を、第3の装置(たとえば、サーバ108)または第1の装置に関連付けられたユーザインターフェースの少なくとも一方から得てよい。806における伝達は、調整された構成情報を少なくとも1つの第2のデバイスに伝達することを含んでよい。
【００７０】
上で説明された方法の様々な動作は、対応する機能を実行することができる任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含んでよい。一般に、図示される動作がある場合、それらの動作は、同様の番号を有する対応する動作のミーンズプラスファンクション構成要素を有し得る。たとえば、図6に示す動作600は、図6Aに示す手段600Aに対応する。
【００７１】
たとえば、送るための手段または伝達するための手段は、図2に示すワイヤレスデバイス202の送信機210などの送信機を備えてよい。受け取るための手段または伝達するための手段は、図2に示すワイヤレスデバイス202の受信機212などの受信機を備えてよい。伝達するための手段、受け取るための手段、得るための手段、調整するための手段、動作するための手段、制御するための手段、決定するための手段、および/または処理するための手段は、図2に示すプロセッサ204などの1つまたは複数のプロセッサを含んでよい処理システムを備えてよい。記憶するための手段および/または取り込むための手段は、図2に示すメモリ206などの記憶媒体を備えてよい。
【００７２】
本明細書で使用される「決定すること」という用語は、多種多様なアクションを包含する。たとえば、「決定すること」は、算出すること、計算すること、処理すること、導出すること、調査すること、検索すること(たとえば、テーブル、データベース、または別のデータ構造を検索すること)、確認することなどを含み得る。また、「決定すること」は、受け取ること(たとえば、情報を受け取ること)、アクセスすること(たとえば、メモリ内のデータにアクセスすること)などを含み得る。また、「決定すること」は、解決すること、選択すること、選出すること、確立することなどを含み得る。
【００７３】
本明細書で使用される、項目のリスト「のうちの少なくとも1つ」に言及する句は、単一のメンバーを含む、それらの項目の任意の組合せを指す。たとえば、「a、bまたはcのうちの少なくとも1つ」は、「a」、「b」、「c」、「aおよびb」、「aおよびc」、「bおよびc」、「a、bおよびc」を含むことが意図されている。
【００７４】
本開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス(PLD)、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【００７５】
本開示に関して説明された方法またはアルゴリズムのステップは、直接ハードウェアで実施されてよく、プロセッサによって実行されるソフトウェアモジュールで実施されてよく、またはその2つの組合せで実施されてよい。ソフトウェアモジュールは、当技術分野で知られている任意の形式の記憶媒体中に常駐し得る。使用できる記憶媒体のいくつかの例には、ランダムアクセスメモリ(RAM)、読取り専用メモリ(ROM)、フラッシュメモリ、EPROMメモリ、EEPROMメモリ、レジスタ、ハードディスク、リムーバブルディスク、CD-ROMなどが含まれる。ソフトウェアモジュールは、単一の命令、または多数の命令を備えてよく、いくつかの異なるコードセグメント上で分散され、異なるプログラム間で分散され、かつ複数の記憶媒体にわたって分散されてよい。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００７６】
本明細書で開示された方法は、記載の方法を達成するための1つまたは複数のステップまたはアクションを含む。方法のステップおよび/またはアクションは、特許請求の範囲から逸脱することなく、互いに交換され得る。言い換えると、ステップまたはアクションの特定の順序が指定されていない限り、特定のステップおよび/またはアクションの順序および/または使用は、特許請求の範囲から逸脱することなく修正され得る。
【００７７】
説明された機能は、ハードウェア、ソフトウェア、ファームウェア、またはそれらの任意の組合せで実装され得る。ハードウェアで実装される場合、例示的なハードウェア構成は、ワイヤレスノード内の処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特にバスを介して処理システムに接続するのに使用され得る。ネットワークアダプタは、PHY層の信号処理機能を実施するために使用され得る。ユーザ端末または他のワイヤレスノードの場合、ユーザインターフェース(たとえば、キーパッド、ディスプレイ、マウス、ジョイスティックなど)をバスに接続することもできる。バスは、タイミングソース、周辺機器、電圧調整器、電力管理回路など様々な他の回路をリンクさせることも可能であり、これらの回路は当技術分野ではよく知られており、したがって、これらの回路についてはこれ以上説明しない。
【００７８】
プロセッサは、機械可読媒体に記憶されたソフトウェアの実行を含む、バスおよび一般的な処理を管理する役割を担うことができる。プロセッサは、1つまたは複数の汎用および/または専用プロセッサを用いて実装され得る。例としては、マイクロプロセッサ、マイクロコントローラ、DSPプロセッサ、およびソフトウェアを実行することができる他の回路がある。ソフトウェアは、ソフトウェア、ファームウェア、ミドルウェア、マイクロコード、ハードウェア記述言語、またはその他の名称で呼ばれるかどうかにかかわらず、命令、データ、またはそれらの任意の組合せを意味するように広く解釈されるものである。機械可読媒体には、例として、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せを含めてよい。機械可読媒体はコンピュータプログラム製品で具体化され得る。コンピュータプログラム製品は、パッケージング材料を備え得る。
【００７９】
ハードウェア実装形態では、機械可読媒体は、プロセッサとは別個の処理システムの一部であり得る。しかし、当業者なら容易に理解するように、機械可読媒体またはその任意の部分は処理システムの外部に存在することができる。例として、機械可読媒体は、すべてバスインターフェースを介してプロセッサがアクセスし得る、送信線路、データによって変調された搬送波、および/またはワイヤレスノードとは別個のコンピュータ製品を含み得る。代替的または追加的に、機械可読媒体またはその任意の部分は、キャッシュおよび/または汎用レジスタファイルがそうであるようにプロセッサに統合されてよい。
【００８０】
処理システムは、すべて外部バスアーキテクチャを介して他のサポート回路と互いにリンクされる、プロセッサ機能を提供する1つまたは複数のマイクロプロセッサと、機械可読媒体の少なくとも一部を提供する外部メモリとを有する汎用処理システムとして構成され得る。代替的に、処理システムは、プロセッサを有するASIC(特定用途向け集積回路)と、バスインターフェースと、アクセス端末の場合はユーザインターフェースと、サポート回路と、単一のチップに統合された機械可読媒体の少なくとも一部分とを用いて、あるいは1つまたは複数のFPGA(フィールドプログラマブルゲートアレイ)、PLD(プログラマブル論理デバイス)、コントローラ、状態機械、ゲート論理、個別ハードウェア構成要素、もしくは任意の他の適切な回路、または本開示全体にわたって説明した様々な機能性を実施することができる回路の任意の組合せを用いて、実装され得る。当業者なら、特定の適用例および全体的なシステムに課される全体的な設計制約に応じて、どのようにしたら処理システムについて説明した機能を最も良く実装できるかを理解されよう。
【００８１】
機械可読媒体は、いくつかのソフトウェアモジュールを備え得る。ソフトウェアモジュールは、プロセッサによって実行されたときに、処理システムに様々な機能を実施させる命令を含む。ソフトウェアモジュールは、送信モジュールと受信モジュールとを含み得る。各ソフトウェアモジュールは、単一の記憶デバイス内に常駐しても、または複数の記憶デバイスに分散されてもよい。例として、トリガイベントが発生したときに、ソフトウェアモジュールをハードドライブからRAMにロードすることができる。ソフトウェアモジュールの実行中、プロセッサは、アクセス速度を高めるために、命令のいくつかをキャッシュにロードすることができる。次いで、1つまたは複数のキャッシュラインを、プロセッサによる実行のために汎用レジスタファイルにロードすることができる。以下でソフトウェアモジュールの機能に言及する場合、そのような機能は、そのソフトウェアモジュールからの命令を実行したときにプロセッサによって実装されることが理解されよう。
【００８２】
各機能は、ソフトウェアで実装される場合、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスすることができる任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイ(登録商標)ディスクを含み、ディスク(disk)は、通常、磁気的にデータを再生し、ディスク(disc)は、レーザーで光学的にデータを再生する。したがって、いくつかの態様では、コンピュータ可読媒体は、非一時的なコンピュータ可読媒体(たとえば、有形媒体)を備え得る。さらに、他の態様では、コンピュータ可読媒体は、一時的なコンピュータ可読媒体(たとえば、信号)を備え得る。上記の組合せもコンピュータ可読媒体の範囲内に含めるべきである。
【００８３】
したがって、いくつかの態様は、本明細書で提示する動作を実行するためのコンピュータプログラム製品を備えてよい。たとえば、そのようなコンピュータプログラム製品は、本明細書で説明した動作を実行するために1つまたは複数のプロセッサによって実行可能である命令を記憶した(および/または符号化した)コンピュータ可読媒体を備え得る。いくつかの態様では、コンピュータプログラム製品はパッケージング材料を含み得る。
【００８４】
さらに、本明細書で説明された方法および技法を実行するためのモジュールおよび/または他の適切な手段は、適用可能な場合、ユーザ端末および/または基地局によってダウンロードされ、かつ/またはその他の方法で取得され得ることを諒解されたい。たとえば、そのようなデバイスは、本明細書で説明する方法を実施するための手段の転送を容易にするために、サーバに結合されてよい。代わりに、本明細書で説明された様々な方法は、ユーザ端末および/または基地局が、記憶手段をデバイスに結合したすぐ後、または供給したすぐ後に、様々な方法を取得することができるように、記憶手段(たとえば、RAM、ROM、コンパクトディスク(CD)またはフロッピーディスクなどの物理的記憶媒体など)を介して提供され得る。その上、本明細書で説明した方法および技法をデバイスに提供するための任意の他の適切な技法が利用され得る。
【００８５】
特許請求の範囲は、上記で示された厳密な構成およびコンポーネントに限定されないことを理解されたい。特許請求の範囲から逸脱することなく、上で説明された方法および装置の構成、動作および詳細に対して、様々な改変、変更および変形を施すことができる。
【符号の説明】
【００８６】
100  通信システム
102  コントローラ/ハブ
104  ワイヤレスデバイス
106  ユーザインターフェース
108  サーバ
110  室内ネットワーク
202  ワイヤレスデバイス
204  プロセッサ
206  メモリ
210  送信機
212  受信機
214  トランシーバ
216  アンテナ
218  信号検出器
222  デジタル信号プロセッサ
300  システム
320  制御ハブ
322  タブレット
324  サーバ
326  ソースポンプ
328  目標ポンプ
330  通信チャネル
340b  リンク
400  システム
410  ソース制御ハブ
412  ポンプ
414  タブレット
416  サーバ
420  目標制御ハブ
430  通信チャネル
500  システム
510  ソース制御ハブ
520  目標制御ハブ
530  通信リンク
A1、A2、B1、B2  ポンプ
【図１】
0006042443.tif 000002
【図２】
0006042443.tif 000003
【図３】
0006042443.tif 000004
【図４】
0006042443.tif 000005
【図５】
0006042443.tif 000006
【図６】
0006042443.tif 000007
【図６Ａ】
0006042443.tif 000008
【図７】
0006042443.tif 000009
【図７Ａ】
0006042443.tif 000010
【図８】
0006042443.tif 000011
【図８Ａ】
0006042443.tif 000012